(57)【要約】【課題】  冷蔵室用冷却器と冷凍室用冷却器とが直列に接続され、冷媒がこの冷蔵室用冷却器から冷凍室用冷却器に流れる冷蔵庫が在る。この冷蔵庫において、圧縮機の運転が開始する時点では、冷蔵室用冷却器の温度は上昇しており、圧縮機の運転と同時に冷蔵室用冷気循環送風機を運転すると、冷蔵室用冷却器内の温度の高い冷媒が冷凍室用冷却器へ流れ込み、冷凍室用冷却器の温度が上昇し、冷凍室用冷気循環送風機の運転によって、冷凍室の温度が上昇する問題がある。【解決手段】  この問題解決のために、冷凍冷蔵運転モードの開始時に冷蔵室用冷却器温度が高いことによる冷凍室用冷却器への悪影響を抑制するために、冷蔵室用冷気循環送風機の運転を圧縮機の運転開始時から所定時間遅延して起動する。【選択図】  図５
2006125839.tif 000002
【特許請求の範囲】
【請求項１】
冷蔵室と冷凍室を有し、前記冷蔵室と冷凍室に対してそれぞれ専用の冷蔵室用冷却器及び冷蔵室用冷気循環送風機と、冷凍室用冷却器及び冷凍室用冷気循環送風機を設け、圧縮機で圧縮され凝縮器を経た冷媒が前記冷蔵室用冷却器から前記冷凍室用冷却器へ流れて前記冷蔵室及び冷凍室を冷却する冷凍冷蔵運転モードから、前記冷蔵室もしくは前記冷蔵室用冷却器が冷却によって所定の温度に低下したとき前記冷蔵室用冷却器への冷媒流路を閉じて前記冷凍室用冷却器へ冷媒を流す冷凍運転モードへ切換わり、前記冷凍室の温度制御用センサが所定の下限温度を検出したとき前記圧縮機を停止する冷蔵庫において、
冷凍冷蔵運転モードの開始時に前記冷蔵室用冷却器温度が高いことによる前記冷凍室用冷却器への悪影響の抑制に有効な所定時間、前記圧縮機の運転開始から前記冷蔵室用冷気循環送風機が遅延して起動することを特徴とする冷蔵庫の運転制御装置。
【請求項２】
冷蔵室と冷凍室を有し、前記冷蔵室と冷凍室に対してそれぞれ専用の冷蔵室用冷却器及び冷蔵室用冷気循環送風機と、冷凍室用冷却器及び冷凍室用冷気循環送風機を設け、圧縮機で圧縮され凝縮器を経た冷媒が前記冷蔵室用冷却器から前記冷凍室用冷却器へ流れて前記冷蔵室及び冷凍室を冷却する冷凍冷蔵運転モードから、前記冷蔵室もしくは前記冷蔵室用冷却器が冷却によって所定の温度に低下したとき冷媒流路切換装置によって前記冷蔵室用冷却器への冷媒流路を閉じて前記冷凍室用冷却器へ冷媒を流す冷凍運転モードへ切換わり、前記冷凍室の温度制御用センサが所定の下限温度を検出したとき前記圧縮機を停止する冷蔵庫において、
冷凍冷蔵運転モードの開始時に前記冷蔵室用冷却器温度が高いことによる前記冷凍室用冷却器への悪影響の抑制に有効な所定時間、前記圧縮機の運転開始から前記冷蔵室用冷気循環送風機が遅延して起動し、且つ前記冷媒流路切換装置によって切換制御されたとき所定時間運転されて前記冷蔵室用冷却器へ付着した霜の融解にて前記冷蔵室を加湿状態にする加湿運転モードとなることを特徴とする冷蔵庫の運転制御装置。
【請求項３】
冷蔵室と冷凍室を有し、前記冷蔵室と冷凍室に対してそれぞれ専用の冷蔵室用冷却器及び冷蔵室用冷気循環送風機と、冷凍室用冷却器及び冷凍室用冷気循環送風機を設け、圧縮機で圧縮され凝縮器を経た冷媒が前記冷蔵室用冷却器から前記冷凍室用冷却器へ流れて前記冷蔵室及び冷凍室を冷却する冷凍冷蔵運転モードから、前記冷蔵室もしくは前記冷蔵室用冷却器が冷却によって所定の温度に低下したとき冷媒流路切換装置によって前記冷蔵室用冷却器への冷媒流路を閉じて前記冷凍室用冷却器へ冷媒を流す冷凍運転モードへ切換わり、前記冷凍室の温度制御用センサが所定の下限温度を検出したとき前記圧縮機を停止する冷蔵庫において、
冷凍冷蔵運転モードの開始時に前記冷蔵室用冷却器温度が高いことによる前記冷凍室用冷却器への悪影響の抑制に有効な所定時間、前記圧縮機の運転開始から前記冷蔵室用冷気循環送風機が遅延して起動し、前記冷媒流路切換装置によって切換制御されたとき前記冷蔵室用冷気循環送風機を所定時間運転して前記冷蔵室用冷却器へ付着した霜の融解にて前記冷蔵室を加湿状態にする加湿運転モードとし、前記冷凍室用冷気循環送風機の運転を前記冷凍冷蔵運転モードの期間よりも前記冷凍運転モードの期間を高速回転とすることを特徴とする冷蔵庫の運転制御装置。
【請求項４】
請求項１において、前記冷凍室用冷気循環送風機は前記冷蔵室用冷気循環送風機の遅延時間よりも短い時間前記圧縮機の運転開始時から遅延して起動することを特徴とする冷蔵庫の運転制御装置。
【請求項５】
冷蔵室と冷凍室を有し、前記冷蔵室と冷凍室に対してそれぞれ専用の冷蔵室用冷却器及び冷蔵室用冷気循環送風機と、冷凍室用冷却器及び冷凍室用冷気循環送風機を設け、圧縮機で圧縮され凝縮器を経た冷媒が前記冷蔵室用冷却器から前記冷凍室用冷却器へ流れて前記冷蔵室及び冷凍室を冷却する冷凍冷蔵運転モードから、前記冷蔵室もしくは前記冷蔵室用冷却器が冷却によって所定の温度に低下したとき冷媒流路切換装置によって前記冷蔵室用冷却器への冷媒流路を閉じて前記冷凍室用冷却器へ冷媒を流す冷凍運転モードへ切換わり、前記冷凍室の温度制御用センサが所定の下限温度を検出したとき前記圧
縮機を停止する冷蔵庫において、
前記圧縮機の運転開始時から前記冷凍室用冷気循環送風機が遅延して起動し、前記冷蔵室用冷気循環送風機はそれよりも長い所定時間遅延して起動し、前記冷媒流路切換装置によって切換制御されたとき前記冷蔵室用冷気循環送風機を所定時間運転して前記冷蔵室用冷却器へ付着した霜の融解にて前記冷蔵室を加湿状態にする加湿運転モードとし、前記冷凍室用冷気循環送風機の運転を前記冷凍冷蔵運転モードの期間よりも前記冷凍運転モードの期間を高速回転とし前記圧縮機のＯＦＦ後前記冷凍室用冷却器に溜まった冷媒にて前記冷凍室を冷却する所定時間前記冷凍室用冷気循環送風機の運転を継続することを特徴とする冷蔵庫の運転制御装置。
【請求項６】
冷蔵室と冷凍室を有し、前記冷蔵室と冷凍室に対してそれぞれ専用の冷蔵室用冷却器及び冷蔵室用冷気循環送風機と、冷凍室用冷却器及び冷凍室用冷気循環送風機を設け、圧縮機で圧縮され凝縮器を経た冷媒が前記冷蔵室用冷却器から前記冷凍室用冷却器へ流れて前記冷蔵室及び冷凍室を冷却する冷凍冷蔵運転モードから、前記冷蔵室もしくは前記冷蔵室用冷却器が冷却によって所定の温度に低下したとき冷媒流路切換装置によって前記冷蔵室用冷却器への冷媒流路を閉じて前記冷凍室用冷却器へ冷媒を流す冷凍運転モードへ切換わり、前記冷凍室の温度制御用センサが所定の下限温度を検出したとき前記圧縮機を停止する冷蔵庫において、
前記冷凍室用冷気循環送風機の回転数を前記冷凍冷蔵運転モード時に比べ前記冷凍運転モード時に上げることを特徴する冷蔵庫の運転制御装置。
【発明の詳細な説明】
【技術分野】
【０００１】
本発明は、冷蔵室と冷凍室を有し、前記冷蔵室と冷凍室に対してそれぞれ専用の冷蔵室用冷却器及び冷蔵室用冷気循環送風機と、冷凍室用冷却器及び冷凍室用冷気循環送風機を設け、圧縮機で圧縮され凝縮器を経て前記両冷却器へ冷媒が流れる冷媒が冷媒流路切換装置によって切換制御される冷蔵庫に関する。
【背景技術】
【０００２】
先行技術として、冷蔵室と冷凍室を有し、前記冷蔵室と冷凍室に対してそれぞれ専用の冷蔵室用冷却器及び冷蔵室用冷気循環送風機と、冷凍室用冷却器及び冷凍室用冷気循環送風機を設け、圧縮機で圧縮され凝縮器を経た冷媒が、前記冷蔵室用冷却器から前記冷凍室用冷却器へ流れ、前記冷蔵室もしくは前記冷蔵室用冷却器が冷却によって所定の温度に低下したとき前記冷蔵室用冷却器への冷媒流路を閉じて前記冷凍室用冷却器へ冷媒が流れるように冷媒流路切換装置によって制御され、前記冷凍室若しくは前記冷凍室用冷却器が所定の下限温度に冷却されたときには前記圧縮機及び前記両送風機を停止する冷蔵庫があり、冷蔵室の温度が所定の下限温度の低下したとき、冷媒流路切換装置によって冷蔵室用冷却器への冷媒の流れをストップして冷凍室用冷却器のみに流し、冷蔵室用冷気循環送風機を数分間運転して冷蔵室用冷却器の霜の融解によって冷蔵室を加湿する手段を採っている。
【０００３】
この先行技術において、凝縮器を経た冷媒は、前記冷蔵室用冷却器から前記冷凍室用冷却器へ流れ、前記冷凍室若しくは前記冷凍室用冷却器が所定の下限温度に冷却されたときには前記圧縮機及び前記両送風機を停止する。そして、前記冷凍室若しくは前記冷凍室用冷却器が所定の上限温度に上昇すると、前記圧縮機及び前記冷凍室用冷気循環送風機は運転を再開する。この場合、通常は、前記冷蔵室もしくは前記冷蔵室用冷却器も所定の上限温度に上昇しているため、冷媒流路切換装置によって前記冷蔵室用冷却器から前記冷凍室用冷却器へ冷媒が流れるように冷媒通路が形成されると共に冷蔵室用冷気循環送風機も運転される。
【特許文献１】特開平１１−３１１４６７号公報
【発明の開示】
【発明が解決しようとする課題】
【０００４】
このように冷凍室と冷蔵室とが所定の上限温度以上に上昇している状態では、圧縮機と送風機を運転して冷凍室と冷蔵室とに冷気循環し、これらの室を所定の下限温度にまで冷却する、所謂、冷凍冷蔵運転モードにする必要がある。この冷凍冷蔵運転モードでは、前記圧縮機の運転が開始する時点では、前記冷蔵室用冷却器の温度は上昇して０℃程度にまで上昇しており、前記圧縮機の運転と同時に冷蔵室用冷気循環送風機を運転すると、冷蔵室用冷却器内の温度の高い冷媒が零下温度に冷却されている冷凍室用冷却器へ流れ込み、冷凍室用冷却器の温度が上昇する。このため、冷凍室用冷気循環送風機の運転によって、冷凍室の温度が上昇するという悪影響が生じる。
【０００５】
本発明は、このような課題を解決するものである。また本発明は、冷蔵室の温度が所定の下限温度の低下したとき、冷媒流路切換装置によって冷蔵室用冷却器への冷媒の流れをストップして冷凍室用冷却器のみに流し、冷蔵室用冷気循環送風機を運転して冷蔵室用冷却器の霜の融解によって冷蔵室を加湿するタイプに適用可能な制御方式を提供するものである。
【課題を解決するための手段】
【０００６】
本発明の一つの具体的な手段として、冷蔵室と冷凍室を有し、前記冷蔵室と冷凍室に対してそれぞれ専用の冷蔵室用冷却器及び冷蔵室用冷気循環送風機と、冷凍室用冷却器及び冷凍室用冷気循環送風機を設け、圧縮機で圧縮され凝縮器を経た冷媒が前記冷蔵室用冷却器から前記冷凍室用冷却器へ流れて前記冷蔵室及び冷凍室を冷却する冷凍冷蔵運転モードから、前記冷蔵室もしくは前記冷蔵室用冷却器が冷却によって所定の温度に低下したとき前記冷蔵室用冷却器への冷媒流路を閉じて前記冷凍室用冷却器へ冷媒を流す冷凍運転モードへ切換わり、前記冷凍室の温度制御用センサが所定の下限温度を検出したとき前記圧縮機を停止する冷蔵庫において、冷凍冷蔵運転モードの開始時に前記冷蔵室用冷却器温度が高いことによる前記冷凍室用冷却器への悪影響の抑制に有効な所定時間前記圧縮機の運転開始から前記冷蔵室用冷気循環送風機が遅延して起動する技術手段を採用した。
【０００７】
また、本発明は、前記課題を解決するための一つの具体的な手段として、冷凍冷蔵運転モードの開始時に前記冷蔵室用冷却器温度が高いことによる前記冷凍室用冷却器への悪影響の抑制に有効な所定時間、前記圧縮機の運転開始から前記冷蔵室用冷気循環送風機が遅延して起動し、且つ冷媒流路切換装置によって切換制御されたとき所定時間運転されて前記冷蔵室用冷却器へ付着した霜の融解にて前記冷蔵室を加湿状態にする加湿運転モードとなる技術手段を採用した。
【０００８】
また、本発明は、前記課題を解決するための一つの具体的な手段として、冷凍冷蔵運転モードの開始時に前記冷蔵室用冷却器温度が高いことによる前記冷凍室用冷却器への悪影響の抑制に有効な所定時間、前記圧縮機の運転開始から前記冷蔵室用冷気循環送風機が遅延して起動し、前記冷媒流路切換装置によって切換制御されたとき前記冷蔵室用冷気循環送風機を所定時間運転して前記冷蔵室用冷却器へ付着した霜の融解にて前記冷蔵室を加湿状態にする加湿運転モードとし、前記冷凍室用冷気循環送風機の運転を前記冷凍冷蔵運転モードの期間よりも前記冷凍運転モードの期間を高速回転とする技術手段を採用した。
【０００９】
また、本発明は、前記課題を解決するための一つの具体的な手段として、前記冷凍室用冷気循環送風機は前記冷蔵室用冷気循環送風機の遅延時間よりも短い時間前記圧縮機の運転開始時から遅延して起動する技術手段を採用した。
【００１０】
また、本発明は、前記課題を解決するための一つの具体的な手段として、前記圧縮機の運転開始時から前記冷凍室用冷気循環送風機が遅延して起動し、前記冷蔵室用冷気循環送風機はそれよりも長い所定時間遅延して起動し、前記冷媒流路切換装置によって切換制御されたとき前記冷蔵室用冷気循環送風機を所定時間運転して前記冷蔵室用冷却器へ付着した霜の融解にて前記冷蔵室を加湿状態にする加湿運転モードとし、前記冷凍室用冷気循環送風機の運転を前記冷凍冷蔵運転モードの期間よりも前記冷凍運転モードの期間を高速回転とし、前記圧縮機のＯＦＦ後前記冷凍室用冷却器に溜まった冷媒にて前記冷凍室を冷却する所定時間前記冷凍室用冷気循環送風機の運転を継続する技術手段を採用した。
【００１１】
また、本発明は、前記冷凍室用冷気循環送風機の回転数を前記冷凍冷蔵運転モード時に比べ前記冷凍運転モード時に上げる技術手段を採用した。
【発明の効果】
【００１２】
第１の発明によれば、冷凍冷蔵運転モードの開始時に前記冷蔵室用冷却器温度が高いことによる前記冷凍室用冷却器への悪影響を抑制することができ、冷凍室への悪影響を抑制できる。
【００１３】
また第２の発明によると、冷凍冷蔵運転モードの開始時に前記冷蔵室用冷却器温度が高いことによる前記冷凍室用冷却器への悪影響を抑制することができると共に、冷蔵室用冷却器の霜の融解によって冷蔵室を加湿するタイプに適用して効果あるものである。
【００１４】
また第３の発明によると、第１の発明の効果に加え、冷凍冷蔵運転モード期間と冷凍運転モード期間における冷凍室用送風機の回転速度を変化させることによって、冷凍室用冷却器が冷凍室へ有効に効果づけられる。
【００１５】
また第４の発明によると、第１の発明の効果に加えて、冷凍冷蔵運転モードの開始時に生じる冷凍室用冷却器の温度上昇に起因する冷凍室の温度上昇を抑制できる。
【００１６】
また第５の発明によると、冷凍室用冷却器の状態変化を考慮して、３段階に冷凍室用送風機の回転速度を変化させることによって、冷凍室用冷却器による冷凍室の冷却が有効に効果づけられる。
【００１７】
また第６の発明によると、冷凍冷蔵運転モードから冷凍運転モードへ切換えた後、冷凍室側冷却器の温度が低下してから送風機の回転速度を上げることが冷却効果から好ましく、これに適合した効果が得られる。
【発明を実施するための最良の形態】
【００１８】
次に、本発明の冷蔵庫の実施の形態について説明する。
【００１９】
図１乃至図５は本発明の一つの実施の形態を示しており、図１は冷蔵庫の正面図、図２は図１の冷蔵庫の縦断側面図、図３は冷蔵庫の冷媒回路図、図４は冷蔵庫の制御構成図、図５はタイムチャートである。
【００２０】
図１乃至図４において、１は冷蔵庫本体であり、外箱（外壁板）３と内箱（内壁板）２との間に発泡断熱材４を充填した断熱構造である。
【００２１】
冷蔵庫本体１内には、上から冷蔵室５、野菜室６、冷凍室７が区画されて設けられ、冷蔵室５内の底部にはその上方の冷蔵室５と区画板（区画壁）８にて区画された特定低温室９が設けられ、また冷凍室７は上冷凍室１０と下冷凍室１１と更に製氷室２０に区分されている。
【００２２】
冷蔵室５の前面開口は、冷蔵庫本体１の一側部にヒンジ装置にて横方向に回動して開閉される回動式扉１２にて閉塞される。
【００２３】
野菜室６の前面開口は、野菜室６内に設けた左右のレール又はローラ装置によって前後方向へ引き出し可能に支持した野菜容器１３と共に前方へ引き出される引き出し式扉１４にて閉塞されている。
【００２４】
上冷凍室１０と下冷凍室１１はそれぞれ野菜室６と同様に、冷凍室内に設けた左右のレールに対してそれぞれ前後方向へ引き出し可能に支持した容器１５、１６と共に前方へ引き出される引き出し式扉１７、１８にて閉塞されている。
【００２５】
上冷凍室１０の左側には製氷室２０が形成され、製氷室２０内には、上部に自動製氷機２１を設けその下部に貯氷容器２２を配置している。
【００２６】
貯氷容器２２は、野菜室６と同様に、製氷室２０内の左右壁に設けた左右のレールに対してそれぞれ前後方向へ引き出し可能に支持されており、製氷室２０の前面開口を開閉する引き出し式扉２３と共に前方へ引き出される仕組みである。
【００２７】
自動製氷機２０へ供給する製氷用水を貯める給水タンクは冷蔵室５内に設けられ、製氷用水はこの給水タンクからポンプによって給水パイプを介して自動製氷機２０の製氷皿２４へ供給される。
【００２８】
２５は冷凍システムの冷媒の圧縮機、２６は冷凍システムの冷媒の凝縮器、２７は凝縮器２６の熱にて後述の冷却器の除霜水を蒸発させる蒸発皿である。
【００２９】
２８と２９は冷凍システムの冷媒の冷却器（蒸発器）であり、２８は冷凍室７用冷却器
であり、２９は冷蔵室５用冷却器である。
【００３０】
３０は冷凍室７用冷気循環送風機、３１は冷蔵室５用冷気循環送風機である。
【００３１】
冷凍室７用冷却器２８で冷却した冷気は送風機３０によって、製氷室２０、上冷凍室１０及び下冷凍室１１を経て冷却器２８へ帰還する循環をする。
【００３２】
また冷蔵室５用冷却器２９で冷却した冷気は送風機３１によって、冷蔵室５、特定低温室９及び野菜室６を経て冷却器２８へ帰還する循環をする。
【００３３】
特定低温室９は、特定低温室９内に設けた左右のレールに対してそれぞれ前後方向へ引き出し可能に支持した容器５０が設けられている。
【００３４】
３２は冷凍室７用冷却器２８へ流入する冷媒の減圧装置としてのキャピラリチューブ、３３は冷蔵室５用冷却器２９へ流入する冷媒の減圧装置としてのキャピラリチューブである。
【００３５】
３４は冷媒の流れを冷凍室７用冷却器２８側と冷蔵室５用冷却器２９側とに切り換える冷媒流路切換装置であり、図示のものは電磁ソレノイド３５への通電毎に冷凍室７側バルブ３６と冷蔵室５側バルブ３７の開閉が制御される、所謂、三方電磁弁である。
【００３６】
この三方電磁弁に代わって、冷凍室７用冷却器２８への冷媒通路３８を開閉する電磁弁と、冷蔵室５用冷却器２９への冷媒通路３９を開閉する電磁弁をそれぞれ設けて同様の制御を行うことができる。
【００３７】
４０は冷凍室７の温度制御用として設けた冷凍室センサであり、実質的に冷凍室７の温度を感知すればよく、冷凍室７の温度又は冷却器２８の温度を感知するように設けられている。
【００３８】
４１は冷蔵室５の温度制御用として設けた冷蔵室センサであり、実質的に冷蔵室５の温度を感知する。
【００３９】
４２は冷却器２８の除霜終了温度を感知する除霜終了センサ、４３は冷却器２９の除霜終了温度を感知する除霜終了センサである。
【００４０】
４４は冷却器２８の除霜用電気ヒータ、４５は冷却器２９の除霜用電気ヒータである。
【００４１】
４６はマイクロコンピュータ方式の制御装置であり、冷凍室センサ４０、冷蔵室センサ４１、除霜終了センサ４２、４３等からの信号によって圧縮機２５、送風機３０と３１、除霜用電気ヒータ４４と４５、及び冷気調節装置３１、冷媒流路切換装置３４等の動作を制御する。
【００４２】
本発明は、冷蔵室の乾燥抑制のために冷却器２９の霜の融解水による加湿効果を得るものであり、湿気を多量に供給するものではなく、乾燥しきった空気ではなくて湿気を含んだ潤いある空気の循環を行うものであるため、むしろ潤い効果を得る冷蔵庫の提供といえる。
【００４３】
その制御の一つの実施形態として以下に述べる。
【００４４】
先ず、通常の冷却運転について記載する。
【００４５】
圧縮機２５の運転と停止を制御する方式としてはいろいろあるが、本発明の実施形態としては、冷凍室センサ４０によって圧縮機２５の運転と停止が制御される一般的な方式について説明する。
【００４６】
冷凍室７と冷蔵室５は所定の下限温度まで冷却されていない状態、即ち、圧縮機２５と送風機３０、３１を運転して冷凍室７と冷蔵室５とに冷気循環し、これらの室を所定の下限温度にまで冷却する必要がある。これが所謂、冷凍冷蔵運転モードである。
【００４７】
この冷凍冷蔵運転モードでは、圧縮機２５、送風機３０及び送風機３１が運転（ＯＮ）され、電磁弁３４によって冷媒通路３８が閉じ冷媒通路３９が開いて冷媒は冷却器２９から冷却器２８に流れて圧縮機２５へ帰還する。
【００４８】
この運転によって冷蔵室５が所定の下限温度に低下すると、冷蔵室センサ４１の温度感
知に基づいて電磁弁３４が動作して冷媒通路３９を閉じ、冷却器２９の冷媒の供給は停止し冷媒は冷媒通路３８から冷却器２８へながれて圧縮機２５へ帰還する循環となる。
【００４９】
そして、冷凍室７又は冷却器２８が所定の下限温度になると、冷凍室センサ４０の温度感知に基づいて電磁弁３４が動作して冷媒通路３８を閉じて圧縮機２５を停止（ＯＦＦ）する。
【００５０】
圧縮機２５が再び運転（ＯＮ）するのは、冷凍室センサ４０が所定の上限温度を感知したときである。
【００５１】
冷凍室センサ４０が所定の上限温度を感知すると、圧縮機２５が運転（ＯＮ）し、電磁弁３４が動作して冷媒通路３８を開いて冷却器２８へ冷媒を流し、送風機３０が運転（ＯＮ）して冷凍室７の冷却が促進される。
【００５２】
また冷蔵室センサ４１が所定の上限温度を感知していると、電磁弁３４が動作して冷媒通路３９を開いて冷却器２９からと２８へ冷媒を流し、送風機３１が再び運転（ＯＮ）し、冷凍室７と冷蔵室５の冷却が促進される。
【００５３】
このような冷凍冷蔵運転モードでの制御では、冷凍室７の温度範囲は、例えば―１８℃〜―２０℃の範囲に制御され、冷蔵室５は例えば、平均温度が３℃になるように下限温度１．８℃〜上限温度４．２℃に制御される。
【００５４】
ここで図５について説明する。
【００５５】
冷凍室７又は冷却器２８が所定の下限温度になると、冷凍室センサ４０の温度感知に基づいて電磁弁３４が動作して冷媒通路３８を閉じ、圧縮機２５、送風機３０、３１は停止（ＯＦＦ）状態である。
【００５６】
この状態において、冷凍室センサ４０と冷蔵室センサ４１が所定の上限温度を感知すると、圧縮機２５が運転（ＯＮ）し、電磁弁３４が動作して冷媒通路３９を開いて冷却器２９から冷却器２８へと冷媒が流れ送風機３０、３１を再び運転（ＯＮ）して、冷凍室７と冷蔵室５を冷却するモードとなる。
【００５７】
この場合、冷蔵室５用冷気循環送風機３１は圧縮機２５の運転（ＯＮ）開始時からＴ１時間遅延して起動する。
【００５８】
冷却器２９と冷却器２８へ冷媒が流れて冷凍室７と冷蔵室５を冷却するモードが冷凍冷蔵運転モードである。
【００５９】
この冷凍冷蔵運転モードの開始時には、冷蔵室５用冷却器２９の温度が０℃程度にまで上昇した状態にあるため、送風機３１が圧縮機２５の運転（ＯＮ）開始と同時に起動すると、冷却器２９内の温度の高い冷媒が冷凍室７用冷却器２８へ流入して零下にある冷却器２８の温度が上昇し、結果として冷凍室７の温度上昇を来す。
【００６０】
そこで本発明では、送風機３１は圧縮機２５の運転（ＯＮ）開始時からＴ１時間遅延して起動する。
【００６１】
このＴ１時間は、上記のような冷凍室７の温度上昇が実質的に抑制される所期の効果が期待できる時間である。
【００６２】
一つに実施例として約３分で効果がある。
【００６３】
この時間は冷蔵庫の機種によって異なる設定となる。
【００６４】
冷凍室７用冷気循環送風機３０も遅延起動するようにしている。
【００６５】
即ち、冷凍冷蔵運転モードの開始時には、冷凍室７用冷却器２８の温度も上昇しているため、このとき冷凍室７用冷気循環送風機３０を起動する冷凍室７の温度が上昇する。
【００６６】
このため圧縮機２５の運転（ＯＮ）開始によって冷却器２８の温度低下が生じ、このような悪影響が抑制できる状態で冷凍室７用冷気循環送風機３０を起動するように遅延時間Ｔ２を設定している。
【００６７】
遅延時間Ｔ２は、冷蔵庫の機種によって異なる設定となる。
【００６８】
冷凍冷蔵運転モードの継続によって冷蔵室センサ４１が所定の下限温度を検知するＡ時点において、電磁弁３４が動作して冷媒通路３９を閉じ、冷却器２９の冷媒の供給は停止し冷媒は冷媒通路３８から冷却器２８へ流れて圧縮機２５へ帰還する循環となる。
【００６９】
この冷媒通路の切換わりによって加湿運転（又は潤い運転）モードとなる。
【００７０】
即ち、冷蔵室用冷気循環送風機３１は運転して冷蔵室５の空気を冷蔵室用冷却器２９へ循環して、冷蔵室用冷却器２９へ付着した霜の融解にて冷蔵室５を加湿状態（又は潤い状態）にする加湿運転（又は潤い運転）モードとなる。
【００７１】
加湿運転（又は潤い運転）モードにおいて、冷凍室センサ４０が所定の下限温度を感知していない状態では、圧縮機２５、送風機３０が運転（ＯＮ）して冷凍室７の冷却促進がなされる。
【００７２】
この加湿運転（又は潤い運転）モードは、予め設定した所定のＴ７時間、送風機３１を運転するものであり、一つの実施例として約３乃至２０分間に設定している。
【００７３】
冷蔵庫の機種によってこの時間は異なる設定となる。
【００７４】
そして、冷凍室７又は冷却器２８が所定の下限温度になると、冷凍室センサ４０の温度感知に基づいて電磁弁３４が動作して冷媒通路３８を閉じ、圧縮機２５を停止（ＯＦＦ）する。
【００７５】
送風機３０は圧縮機２５の停止（ＯＦＦ）からＴ３時間遅延して停止（ＯＦＦ）する。
【００７６】
このＴ３時間は、冷却器２８に溜まった冷媒の蒸発によって冷却器２８の冷却が有効に継続する時間に設定しており、冷蔵庫の機種によってこの時間は異なる設定となる。
【００７７】
上記の動作状態において、圧縮機２５が運転（ＯＮ）して冷却器２９と冷却器２８へ冷媒が流れて冷凍室７と冷蔵室５を冷却するモードが、冷凍冷蔵運転モードである。
【００７８】
そして、冷蔵室センサ４１が所定の下限温度を検知するＡ時点において、電磁弁３４が動作して冷媒通路３９を閉じ、冷却器２９の冷媒の供給は停止し冷媒は冷媒通路３８から冷却器２８へ流れる。
【００７９】
これは、実質的に冷蔵室５の冷却運転を停止して冷凍室７の冷却運転状態であり、これを冷凍運転モードと称する。
【００８０】
加湿運転（又は潤い運転）モードは、冷凍運転モードの期間に行われる。
【００８１】
上記の動作状態において、送風機３０の回転速度は、相対的に見れば、冷凍冷蔵運転モードの期間よりも冷凍運転モードの期間を高速回転としている。
【００８２】
また、冷凍冷蔵運転モードから冷凍運転モードへの切り換え時点から遅延して送風機３０の回転速度を上げている。
【００８３】
これは冷凍冷蔵運転モードから冷凍運転モードへ切り換えた後、冷凍室側冷却器２８の温度が低下してから送風機３０の回転速度を上げることが冷却効果から好ましく、また送風機３０の回転速度が上がることによる騒音をなるだけ少なくするためである。
【００８４】
加湿運転（又は潤い運転）モードに入ったときから高速回転にする方法があるが、この実施形態では、加湿運転（又は潤い運転）モードＴ７の終了までの期間Ｔ４よりも加湿運転モードＴ７終了後の期間Ｔ５を高速回転としており、一つの実施例では、期間Ｔ４では毎分の回転速度（回転数）が１３００、期間Ｔ５では毎分１５００である。
【００８５】
これは、加湿運転（又は潤い運転）モードＴ７の終了までの期間Ｔ４は冷却器２８での冷媒蒸発温度が高いが、加湿運転モードＴ７終了後では冷媒は冷却器２８のみへ流れている状態でもあり、冷却器２８での蒸発温度の低下によって冷却器２８による冷凍室７の冷却効果が向上するためである。
【００８６】
また、圧縮機２５のＯＦＦ後、冷凍室用冷却器２８に溜まった冷媒の蒸発によって冷凍室７を冷却できるため、圧縮機２５のＯＦＦ後、所定のＴ３時間、冷凍室用冷気循環送風
機３０の運転を継続する技術手段を採用している。
【００８７】
このＴ３時間では、一つの好ましい実施例では、送風機３０の回転は毎分１３００である。
【００８８】
本発明の加湿運転（又は潤い運転）について付加説明する。
【００８９】
通常の冷凍冷蔵運転モードにおいて、冷蔵室５もしくは冷蔵室用冷却器２９が冷却によって温度が低下して所定の温度（上記の１．８℃）に到達すると、冷媒流路切換装置３４によって冷蔵室用冷却器２９への冷媒流路３９を閉じる方法があるが、冷蔵室５もしくは冷蔵室用冷却器２９が冷却によって所定の温度（上記の１．８℃）に到達する前、即ち、この温度よりも若干高い温度（例えば２．２℃）まで低下したとき、加湿運転（又は潤い運転）を開始する方法とすることもできる。
【００９０】
この方法によって、従来の３分よりも長い時間（例えば５分乃至２０分）の加湿運転（又は潤い運転）を行うことができるようになる。
【００９１】
この時間は加湿運転（又は潤い運転）の開始温度の設定によって変化する。
【００９２】
冷蔵室センサ４１が加湿運転（又は潤い運転）の開始温度（上記の場合には２．２℃）を感知して冷媒流路切換装置３４が動作し、冷蔵室用冷却器２９への冷媒流路３９を閉じるが、冷蔵室用冷却器２９は熱慣性によってその温度は低下する。
【００９３】
この場合、その熱慣性によって低下する温度は、所期の１．８℃にまで低下することが好ましく、冷蔵庫の種類に応じて、このような動作が達成できるように加湿運転（又は潤い運転）の開始温度を設定するのがよい。
【００９４】
本発明は、上記の構成によって、冷凍冷蔵運転モードの開始時に冷蔵室用冷却器温度が高いことによる冷凍室用冷却器への悪影響を抑制することができる。
【００９５】
また、冷蔵室の温度が所定の下限温度の低下したとき、冷媒流路切換装置によって冷蔵室用冷却器への冷媒の流れをストップして冷凍室用冷却器のみに流し、冷蔵室用冷気循環送風機を運転して冷蔵室用冷却器の霜の融解によって冷蔵室を加湿するタイプに適用して効果あるものである。
【００９６】
更に、冷凍室用送風機の回転速度を変化させて、冷凍室用冷却器が冷凍室へ有効に効果づけられるようにしている。
【００９７】
本発明は、上記実施形態に限定されず、本発明の技術的範囲を逸脱しない限り種種の変更が考えられ、それに係る種種の実施形態を包含するものである。
【図面の簡単な説明】
【００９８】
【図１】本発明の実施形態に係る冷蔵庫の正面図である。
【図２】本発明の実施形態に係る図１の冷蔵庫の縦断側面である。
【図３】本発明の実施形態に係る冷蔵庫の冷蔵庫の冷媒回路図である。
【図４】本発明の実施形態に係る冷蔵庫の制御構成図である。
【図５】本発明の実施形態に係る冷蔵庫の制御タイムチャートである。
【符号の説明】
【００９９】
１……冷蔵庫本体
２……内箱
３……外箱
４……断熱材
５……冷蔵室
６……野菜室
７……冷凍室
８……区画壁
９……特定低温室
１０…上冷凍室
１１…下冷凍室
１２…冷蔵室扉
１３…野菜容器
１４…野菜室扉
１５…冷凍室容器
１６…冷凍室容器
１７…上冷凍室扉
１８…下冷凍室扉
２５…圧縮機
２６…凝縮器
２８…冷凍室用冷却器
２９…冷蔵室用冷却器
３０…冷凍室用冷気循環送風機
３１…冷蔵室用冷気循環送風機
３４…冷媒流路切換装置
３８…冷凍室側冷媒通路
３９…冷蔵室側冷媒通路
４０…冷凍室センサ
４１…冷蔵室センサ
４４…除霜用電気ヒータ
４５…除霜用電気ヒータ
４６…制御装置
【図１】
2006125839.tif 000003
【図２】
2006125839.tif 000004
【図３】
2006125839.tif 000005
【図４】
2006125839.tif 000006
【図５】
2006125839.tif 000007